(57)【要約】【課題】複数のランプを同時に点灯させるまでの時間の短縮化を図ることができ、ランプの点灯開始時において必要とされる電力を確実に低減することができるランプ点灯制御装置、及び投写型映像表示装置を提供する。【解決手段】プロジェクタ１が備えるランプ点灯制御装置２は、電力が供給されることにより点灯を開始する複数のランプ１１〜１４と、ランプ１１〜１４の点灯開始を指示する制御部４３を備え、制御部４３が複数のランプ１１〜１４を順次点灯させる。ランプ点灯制御装置２は、複数のランプ１１〜１４のうち所定のランプが点灯を開始して始動したか否かを判断するランプ始動判断部としての照度検出部５１及び制御部４３とを備え、所定のランプが始動したと判断されたときに、制御部４３は、複数のランプ１１〜１４のうち他のランプの点灯開始を指示する。【選択図】図１
2011237535.tif 000002
【特許請求の範囲】
【請求項１】
電力が供給されることにより点灯を開始する複数のランプと、前記ランプの点灯開始を指示する制御部を備え、前記制御部が複数の前記ランプを順次点灯させるランプ点灯制御装置において、
複数の前記ランプのうち所定のランプが点灯を開始して始動したか否かを判断するランプ始動判断部を備え、
前記ランプ始動判断部によって前記所定のランプが始動したと判断されたときに、前記制御部は、複数の前記ランプのうち他のランプの点灯開始を指示する
ことを特徴とするランプ点灯制御装置。
【請求項２】
照度を検出する照度検出部を備え、
前記照度検出部が前記ランプ始動判断部を構成し、前記照度検出部により検出された照度に基づいて前記所定のランプが始動したか否かが判断される
ことを特徴とする請求項１に記載のランプ点灯制御装置。
【請求項３】
複数の前記ランプが発した光を合成する光合成部を備え、
前記照度検出部は、前記光合成部により合成された光の照度を検出する
ことを特徴とする請求項２に記載のランプ点灯制御装置。
【請求項４】
前記ランプ始動判断部によって前記所定のランプが始動したと判断されなかったとき、かつ、前記所定のランプの点灯開始が指示されてから所定時間が経過したときに、前記制御部は、前記他のランプの点灯開始を指示する
ことを特徴とする請求項１〜３のいずれか一項に記載のランプ点灯制御装置。
【請求項５】
請求項１〜４のいずれか一項に記載のランプ点灯制御装置を備えることを特徴とする投写型映像表示装置。
【発明の詳細な説明】
【技術分野】
【０００１】
本願発明は、複数のランプの点灯を制御するランプ点灯制御装置、及びこれを備えた投写型映像表示装置に関する。
【背景技術】
【０００２】
投写型映像表示装置として、複数のランプを備え、各ランプが発した光を合成することにより、複数のランプを用いて画像全体を映し出すように構成された液晶プロジェクタが知られている。
【０００３】
また、複数のランプを備えた投写型映像表示装置において、ランプを所定時間おきに順次点灯させるように構成された液晶プロジェクタが開示されている（例えば、特許文献１参照）。
【０００４】
特許文献１には、ランプ点灯時において、各投影用ランプ点灯時に発生する過渡的な電流が同時に流れないように、各投影用ランプを所定時間おきに順次点灯させる手段を備える液晶プロジェクタが記載されている。
【先行技術文献】
【特許文献】
【０００５】
【特許文献１】特開２００２−７２９７０号公報
【発明の概要】
【発明が解決しようとする課題】
【０００６】
ところで、ランプの点灯開始時には、絶縁破壊を発生させる高電圧をランプの電極間に印加する必要があり、予め設定されたイグニッション期間内において、ランプが点灯するまでの間はランプに高電圧が印加され続ける。ランプに高電圧が印加されてからそのランプの始動が完了するまでの時間は、ランプの使用状況等によって異なる。従って、イグニッション期間の中期にランプが始動する場合や、イグニッション期間の後期にランプが始動する場合があるため、イグニッション期間が長いほどランプの確実な点灯を試みることができる。
【０００７】
しかしながら、複数のランプを順次点灯させるときに、各ランプに設定されたイグニッション期間が同一時間帯に重なっていれば、ランプの点灯開始時において必要とされる電力が増大するおそれがあった。
【０００８】
例えば、第１〜第４ランプを備えたプロジェクタにおいて、特許文献１に記載されるように所定時間おきにランプを順次点灯させるように構成した場合には、図６に示すように、ランプを順次点灯させる制御部が、所定時間おきにランプの点灯開始を指示する点灯指示信号を出力する。この点灯指示信号に基づいて各ランプに高電圧が印加されて、各ランプの電極間に絶縁破壊が生じる。第１ランプの電極間に絶縁破壊が生じることによって、時刻ｔ１から時刻ｔ１’までの時間は、第１ランプに流れる電流Ｉａとして比較的大きな電流が第１ランプに流れる。同様に、第２ランプの電極間に絶縁破壊が生じることによって、時刻ｔ２から時刻ｔ２’までの時間は、第２ランプに流れる電流Ｉｂとして比較的大きな電流が第２ランプに流れる。また、同様に、第３ランプの電極間に絶縁破壊が生じることによって、時刻ｔ３から時刻ｔ３’までの時間は、第３ランプに流れる電流Ｉｃとして比較的大きな電流が第３ランプに流れる。また、同様に、第４ランプの電極間に絶縁破壊が生じることによって、時刻ｔ４から時刻ｔ４’までの時間は、第４ランプに流れる電流Ｉｄとして比較的大きな電流が第４ランプに流れる。このとき、時刻ｔ１，ｔ２，ｔ３，ｔ４は同一時刻に重ならないものの、イグニッション期間が同一時間帯に重なるため、ランプの点灯開始時において複数のランプに大きな電流が同時に流れる。即ち、時刻ｔ４から時刻ｔ３’までの時間においては、２つ以上のランプに大きな電流が同時に流れるため、１つのランプのみに大きな電流が流れる場合に比べて、ランプの点灯開始時において大きな電力が必要となる。図６においては、時刻ｔ４から時刻ｔ１’までの時間は、第１〜第４ランプの全てに大きな電流が流れて、第１〜第４ランプに流れる電流の総和である電流Ｉは最も大きな電流Ｉｍａｘとなる。
【０００９】
以上のように、特許文献１に記載されるランプの点灯制御においては、単に時間の経過に基づいてランプを順次点灯させるだけであるため、所定のランプの点灯開始が指示されてから短時間後に他のランプの点灯開始が指示されると、ランプの点灯開始時において必要とされる電力を低減することができない場合があるという問題がある。
【００１０】
ランプの点灯開始時において必要とされる電力を確実に低減するためには、イグニッション期間が同一時間帯に重ならないようにすることが考えられる。即ち、図６において、例えば、第２ランプの点灯開始を指示する点灯指示信号が出力される時刻ｔ２が、第１ランプに定常電流が流れ始める時刻ｔ１’の後となるように、第１ランプの点灯開始が指示されてから、第１ランプの始動が完了するために十分な時間が経過した後に、第２ランプの点灯開始を指示させることが考えられる。
【００１１】
しかし、所定のランプの点灯開始が指示されてから長時間後に他のランプの点灯開始が指示される構成においては、複数のランプを同時に点灯させるまでの時間が長くなるという問題がある。
【００１２】
本発明は、こうした実情に鑑みてなされたものであり、その目的は、複数のランプを同時に点灯させるまでの時間の短縮化を図ることができ、かつ、ランプの点灯開始時において必要とされる電力を確実に低減することができるランプ点灯制御装置、及び投写型映像表示装置を提供することにある。
【課題を解決するための手段】
【００１３】
以下、上記目的を達成するための手段及びその作用効果について記載する。
請求項１に記載の発明は、電力が供給されることにより点灯を開始する複数のランプと、ランプの点灯開始を指示する制御部を備え、制御部が複数のランプを順次点灯させるランプ点灯制御装置において、複数のランプのうち所定のランプが点灯を開始して始動したか否かを判断するランプ始動判断部を備え、ランプ始動判断部によって所定のランプが始動したと判断されたときに、制御部は、複数のランプのうち他のランプの点灯開始を指示することを特徴とする。
【００１４】
上記構成によれば、ランプ始動判断部によって所定のランプが点灯を開始して始動したと判断されたときに、他のランプの点灯開始が指示される。即ち、単に時間に基づいてランプが順次点灯されるのではなく、所定のランプの始動が完了したことに基づいて他のランプが点灯される。よって、所定のランプの点灯開始が指示されてから短時間後に他のランプの点灯開始が指示される構成に比べて、同一時間帯に複数のランプに大きな電流が流れることを抑制することができ、ランプの点灯開始時において必要とされる電力を確実に低減することができる。また、所定のランプの始動が完了したことに基づいて他のランプが点灯されるため、所定のランプの点灯開始が指示されてから長時間後に他のランプの点灯開始が指示される構成に比べて、複数のランプを同時に点灯させるまでの時間の短縮化を図ることができる。
【００１５】
請求項２に記載の発明は、請求項１に記載のランプ点灯制御装置であって、照度を検出する照度検出部を備え、前記照度検出部が前記ランプ始動判断部を構成し、前記照度検出部により検出された照度に基づいて前記所定のランプが始動したか否かが判断されることを特徴とする。
【００１６】
上記構成によれば、ランプが始動したか否かが、照度検出部により検出された照度に基づいて判断される。このため、例えば、温度検出部により検出されたランプの温度に基づいてランプが始動したか否かが判断される場合に比べて、ランプが始動したか否かが直ちに判断される。
【００１７】
請求項３に記載の発明は、請求項２に記載のランプ点灯制御装置であって、複数のランプが発した光を合成する光合成部を備え、照度検出部は、光合成部により合成された光の照度を検出することを特徴とする。
【００１８】
上記構成によれば、光合成部により合成された光の照度が検出されて、この照度に基づいてランプが始動したか否かが判断される。従って、ランプが始動したか否かの判断基準となる照度が、光合成部により合成された光の照度であるため、各ランプに対応して照度検出部を設ける必要性が低くなる。
【００１９】
請求項４に記載の発明は、請求項１〜３のいずれか一項に記載のランプ点灯制御装置において、ランプ始動判断部によって所定のランプが始動したと判断されなかったとき、かつ、所定のランプの点灯開始が指示されてから所定時間が経過したときに、制御部は、他のランプの点灯開始を指示することを特徴とする。
【００２０】
上記構成によれば、ランプ始動判断部によって所定のランプが始動したと判断されなかったとき、かつ、所定のランプの点灯開始が指示されてから所定時間が経過したときに、他のランプの点灯開始が指示されるため、所定のランプが点灯不可能であっても、他のランプを始動させることができる。
【００２１】
請求項５に記載の発明は、請求項１〜４のいずれか一項に記載のランプ点灯制御装置を備えることを特徴とする。
上記構成によれば、請求項１〜４のいずれか一項に記載のランプ点灯制御装置を備えるため、上記発明と同様の効果を得ることができる。
【発明の効果】
【００２２】
本発明によれば、複数のランプを同時に点灯させるまでの時間の短縮化を図ることができ、ランプの点灯開始時において必要とされる電力を確実に低減することができる。
【図面の簡単な説明】
【００２３】
【図１】本発明の一実施形態に係る投写型映像表示装置の概略構成を示す構成図。
【図２】同実施形態に係る投写型映像表示装置において、ランプ電源部の動作の流れを示すフローチャート。
【図３】同実施形態に係る照度変化検出処理の流れを示すフローチャート。
【図４】同実施形態に係る投写型映像表示装置において、制御部の動作の流れを示すフローチャート。
【図５】同実施形態に係る投写型映像表示装置において、ランプの点灯開始を指示するタイミングと、その指示に基づいて点灯を開始するランプに流れる電流との関係を示すタイミングチャート。
【図６】従来の投写型映像表示装置において、ランプの点灯開始を指示するタイミングと、その指示に基づいて点灯を開始するランプに流れる電流との関係を示すタイミングチャート。
【発明を実施するための形態】
【００２４】
以下、本発明を具体化した一実施形態について図面を参照しながら説明する。
図１に示すように、プロジェクタ１は、映像表示用の光源であるランプ１１〜１４を備えた投写型映像表示装置である。プロジェクタ１は、ランプ１１〜１４が発した光を用いて、スクリーンや壁等の平面上に映像を投写して表示する。
【００２５】
プロジェクタ１は、映像を表示するための光学系の構成として、各ランプ１１〜１４が発した光を合成する光合成部２１と、光合成部２１によって合成された光を用いて映像を生成する映像生成部２２と、生成された映像の光を投射する投射レンズ２３とを備えている。
【００２６】
超高圧水銀ランプやメタルハライドランプ等の放電ランプにより構成される複数のランプ１１〜１４は、映像を表示するときに順次点灯を開始する。従って、ランプ１１〜１４は、点灯を開始した後に、同時に点灯し続ける状態となる。点灯したランプ１１〜１４の各々が発する光は、光合成部２１に入射した後に映像生成部２２に入射する。
【００２７】
光合成部２１は、複数のランプ１１〜１４を用いて画像全体を映し出すために、各ランプ１１〜１４が発した光を合成する光学部品により構成されている。光合成部２１により合成された光は、映像生成部２２に入射する。
【００２８】
映像生成部２２は、例えば、ドットマトリクス型のライトバルブである液晶パネルや、微小鏡を格子状に配列したＤＭＤ（Digital Micromirror Device）を備えた電気光学装置により構成されている。映像生成部２２には映像信号が入力され、この映像信号に基づいて液晶パネルやＤＭＤが駆動される。そして、ランプ１１〜１４から映像生成部２２を経て映像生成部２２に入射した光が、液晶パネルを透過したり、ＤＭＤで反射されたりすることによって、映像信号に基づいた映像が生成される。
【００２９】
投射レンズ２３は、映像生成部２２により生成された映像の光を投射するレンズ群を備えたレンズ装置である。従って、映像の光が投射レンズ２３からプロジェクタ１の外部に向けて投射されることにより、プロジェクタ１はスクリーンや壁等の平面上に映像を表示する。
【００３０】
また、プロジェクタ１は、電気信号である映像信号に基づいて映像を生成するための構成として、プロジェクタ１の外部から映像信号が入力される映像信号入力部３１と、映像信号に対して信号処理を施す映像信号処理部３２とを備えている。
【００３１】
プロジェクタ１には、映像ケーブル（不図示）が接続される映像信号入力端子により構成された映像信号入力部３１を介して、ＰＣ（Personal Computer）や映像再生装置等の外部機器から映像信号が入力される。そして、プロジェクタ１に入力された映像信号に対して、映像信号処理部３２がスケーリング処理等の信号処理を施して、信号処理が施された映像信号が、映像生成部２２に入力される。なお、映像信号入力部３１が、無線により送信された映像信号を受信する無線モジュールであってもよい。
【００３２】
また、プロジェクタ１は、ランプ１１〜１４を始動させるために、プロジェクタ１を構成する各部に外部電源（不図示）からの電力を供給する電源部４１と、ランプ１１〜１４毎に対応して設けられた複数のランプ電源部４２と、プロジェクタ１を構成する各部を制御する制御部４３と、照度検出部５１とを備えている。
【００３３】
電源部４１は、外部電源である商用交流電源からプロジェクタ１に入力された電力を適宜変換して、プロジェクタ１内の電気回路に電力を供給する電源ユニットにより構成されている。具体的には、電源部４１は、外部電源から得た交流電力を直流電力に変換して、ランプ電源部４２や制御部４３や映像生成部２２等に直流電力を供給する。このようにして、電源部４１からランプ電源部４２を介してランプ１１〜１４に電力が供給される。
【００３４】
ランプ電源部４２は、それぞれ、そのランプ電源部４２に接続されている放電ランプを点灯させるための回路を備えた点灯装置により構成されている。具体的には、ランプ電源部４２は、負荷である放電ランプのインピーダンス（即ち、負荷インピーダンス）が変化した場合であっても安定した電力を供給するためのランプバラスト回路（図示略）、放電ランプの電極間の絶縁破壊を発生させるためのイグナイタ回路（図示略）等を備えている。また、ランプ電源部４２は、放電ランプの不点灯を検出する不点灯検出部４２ａを備え、この不点灯検出部４２ａは、放電ランプの点灯状態を検出する回路により構成されている。
【００３５】
ランプ電源部４２に接続された放電ランプの点灯を開始するときの、そのランプ電源部４２の動作について、図２を参照しながら説明する。なお、図２に示す一連の動作は、そのランプ電源部４２に、制御部４３から点灯指示信号が入力されることに基づいて開始される。
【００３６】
まず、図２に示すように、ランプ電源部４２は、接続されている放電ランプに高電圧の印加を開始する（ステップＳ１１）。具体的には、ランプ電源部４２がイグナイタ回路を用いて、放電ランプに設けられた電極間に、絶縁破壊を発生させるパルス状の高電圧を印加する。
【００３７】
次いで、ランプ電源部４２が、ステップＳ１１により電極間に高電圧が印加された放電ランプが点灯したか否かを判断する（ステップＳ１２）。具体的には、不点灯検出部４２ａによって、そのランプ電源部４２に接続されている放電ランプが不点灯であることが検出されなかった場合には、その放電ランプが点灯したと判断される。
【００３８】
放電ランプが点灯したとステップＳ１２において判断された場合には、ステップＳ１１において印加が開始された高電圧に代えて、ランプ電源部４２が、接続されている放電ランプに定常電圧の印加を開始する（ステップＳ１３）。具体的には、ランプ電源部４２がランプバラスト回路を用いて、絶縁破壊が発生した電極間に、矩形波の交流電圧を定常電圧として印加する。この定常電圧は、ステップＳ１１において印加されるパルス状の電圧に比べて低電圧である。このようにしてランプ電源部４２から放電ランプへ電力が供給されることにより、その放電ランプが点灯を開始して始動する。
【００３９】
一方、放電ランプが点灯したとステップＳ１２において判断されなかった場合、即ち、放電ランプが不点灯であることを不点灯検出部４２ａが検出した場合には、ランプ電源部４２は、予め設定されているイグニッション期間内か否かを判断する（ステップＳ１４）。具体的には、ステップＳ１４においては、イグニッション期間として例えば５秒が設定されている場合には、ステップＳ１１において高電圧の印加が開始されてからイグニッション期間である５秒を経過したか否かが判断される。
【００４０】
イグニッション期間内であるとステップＳ１４において判断された場合には、ステップＳ１２以降の動作を繰り返される。一方、イグニッション期間内であるとステップＳ１４において判断されなかった場合には、ランプ電源部４２は、ステップＳ１１において開始された高電圧の印加を停止する（ステップＳ１５）。従って、イグニッション期間内において、放電ランプが点灯するまでの間は、その放電ランプに高電圧が印加され続ける。
【００４１】
以上のようにして、各ランプ電源部４２は、接続されているランプ１１〜１４に電力を供給する。具体的には、ランプ１１に接続されたランプ電源部４２はランプ１１へ電力を供給する。また、ランプ１２に接続されたランプ電源部４２はランプ１２へ電力を供給する。また、ランプ１３に接続されたランプ電源部４２はランプ１３へ電力を供給する。また、ランプ１４に接続されたランプ電源部４２はランプ１４へ電力を供給する。
【００４２】
制御部４３は、映像信号処理部３２における信号処理の制御や、ランプ１１〜１４の制御等を行う集積回路により構成されている。制御部４３は、点灯指示信号をランプ電源部４２に出力することによりランプ１１〜１４の点灯開始を指示して、複数のランプ１１〜１４を順次点灯させる。このように、制御部４３は、ランプ１１〜１２の点灯を制御する集積回路であって、プロジェクタ１に内蔵されているランプ点灯制御装置２を構成している。４つの放電ランプを備えるランプ点灯制御装置２においては、第１ランプ、第２ランプ、第３ランプ、第４ランプの順に放電ランプが点灯される。本実施形態においては、ランプ１１が第１ランプであって、ランプ１２が第２ランプであって、ランプ１３が第３ランプであって、ランプ１４が第４ランプである。
【００４３】
また、制御部４３には、制御部４３が実行するプログラム等を記憶するメモリにより構成された記憶部４４や、時間を計測するタイマカウンタにより構成された計時部４５が接続されている。
【００４４】
照度検出部５１は、光合成部２１から出射された光（即ち、ランプ１１〜１４が発した光が重畳した光）の照度を検出する照度センサにより構成されている。照度検出部５１により検出された照度は制御部４３に出力されて、制御部４３が照度変化検出処理を行う。
【００４５】
制御部４３による照度変化検出処理を、図３を参照しながら説明する。
図３に示すように、制御部４３は、照度検出部５１により検出された照度を短時間毎に比較して、１つの放電ランプが点灯したときに変化し得る一定以上の照度変化が検出されたか否かを判断する（ステップＳ２１）。１つの放電ランプが点灯したときに変化し得る一定以上の照度変化が検出されたと判断された場合、即ち、照度検出部５１を用いて放電ランプの点灯に伴う照度変化を検出した場合には、本照度変化検出処理が終了する。
【００４６】
１つの放電ランプが点灯したときに変化し得る照度変化が検出されたとステップＳ２１において判断されなかった場合、即ち、放電ランプの点灯に伴う照度変化が検出されなかった場合には、制御部４３は、この照度変化検出処理を実行してからの時間が、照度監視時間を経過したか否かを判断する（ステップＳ２２）。具体的には、計時部４５により照度変化検出処理を実行してからの時間が計測され、ステップＳ２２においては、制御部４３は、その計測時間と、記憶部４４に予め記憶されている照度監視時間とを比較する。
【００４７】
照度変化検出処理を開始してから照度監視時間を経過したとステップＳ２２において判断されなかった場合には、ステップＳ２１以降の処理が繰り返される。一方、照度変化検出処理を開始してから照度監視時間を経過したとステップＳ２２において判断された場合には、本照度変化検出処理が終了する。従って、所定時間である照度監視時間中には、放電ランプの点灯に伴う照度変化が監視される。
【００４８】
以上のような構成のプロジェクタ１には、ランプ点灯制御装置２が内蔵されている。ランプ点灯制御装置２は、電力が供給されることにより点灯を開始する複数のランプ１１〜１４と、ランプ１１〜１４の点灯開始を指示する制御部４３等により構成されている。
【００４９】
ここで、本実施形態においては、ランプ点灯制御装置２は、ランプ１１〜１４が点灯を開始して始動したか否かを判断するランプ始動判断部を備え、ランプ始動判断部によって所定の放電ランプが始動したと判断されたときに、制御部４３は、複数のランプ１１〜１４のうち他の放電ランプの点灯開始を指示する構成となっている。
【００５０】
具体的には、本実施形態においては、ランプ始動判断部は、プロジェクタ１が備える制御部４３と照度を検出する照度検出部５１とにより構成され、制御部４３が、照度検出部５１により検出された照度に基づいて放電ランプが始動したか否かを判断する。
【００５１】
放電ランプを始動させる際のランプ点灯制御装置２の動作を、図４を参照しながら説明する。なお、図４に示す一連の動作は、例えばプロジェクタ１が備える押しボタンスイッチ等の操作部（不図示）がユーザによって操作されることにより開始される。
【００５２】
図４に示すように、まず、制御部４３が、ランプ１１に接続されたランプ電源部４２へ点灯指示信号を出力することにより、第１ランプであるランプ１１の点灯開始を指示する（ステップＳ１）。
【００５３】
次いで、制御部４３は、照度検出部５１を用いて図３に示す照度変化検出処理を実行する（ステップＳ２０−１）。このステップＳ２０−１での照度変化検出処理に含まれるステップＳ２１において、放電ランプの点灯に伴って検出される照度変化に基づいて、ランプ１１が点灯を開始して始動したか否かが判断される。
【００５４】
ステップＳ２０−１の照度変化検出処理が終了すると、制御部４３は、ランプ１２に接続されたランプ電源部４２へ点灯指示信号を出力することにより、第２ランプであるランプ１２の点灯開始を指示する（ステップＳ２）。
【００５５】
従って、ステップＳ２０−１での照度変化検出処理に含まれるステップＳ２１において、ランプ１１が始動したと判断されたときには、ランプ１１の始動が完了したことに基づいて、ランプ１２が点灯される。
【００５６】
また、ステップＳ２０−１での照度変化検出処理に含まれるステップＳ２２において、照度監視時間を経過したと判断された場合にも、ランプ１２が点灯される。即ち、ランプ１１が始動したと判断されなかったとき、かつ、ランプ１１の点灯開始が指示されてから所定時間が経過したときに、ランプ１２が点灯される。
【００５７】
次いで、制御部４３は、照度検出部５１を用いて図３に示す照度変化検出処理を実行する（ステップＳ２０−２）。このステップＳ２０−２での照度変化検出処理に含まれるステップＳ２１において、放電ランプの点灯に伴って検出される照度変化に基づいて、ランプ１２が点灯を開始して始動したか否かが判断される。
【００５８】
ステップＳ２０−２の照度変化検出処理が終了すると、制御部４３は、ランプ１３に接続されたランプ電源部４２へ点灯指示信号を出力することにより、第３ランプであるランプ１３の点灯開始を指示する（ステップＳ３）。
【００５９】
従って、ステップＳ２０−２での照度変化検出処理に含まれるステップＳ２１において、ランプ１２が始動したと判断されたときには、ランプ１２の始動が完了したことに基づいて、ランプ１３が点灯される。
【００６０】
また、ステップＳ２０−２での照度変化検出処理に含まれるステップＳ２２において、照度監視時間を経過したと判断された場合にも、ランプ１３が点灯される。即ち、ランプ１２が始動したと判断されなかったとき、かつ、ランプ１２の点灯開始が指示されてから所定時間が経過したときに、ランプ１３が点灯される。
【００６１】
次いで、制御部４３は、照度検出部５１を用いて図３に示す照度変化検出処理を実行する（ステップＳ２０−３）。このステップＳ２０−３での照度変化検出処理に含まれるステップＳ２１において、放電ランプの点灯に伴って検出される照度変化に基づいて、ランプ１３が点灯を開始して始動したか否かが判断される。
【００６２】
ステップＳ２０−３の照度変化検出処理が終了すると、制御部４３は、ランプ１４に接続されたランプ電源部４２へ点灯指示信号を出力することにより、第４ランプであるランプ１４の点灯開始を指示する（ステップＳ４）。
【００６３】
従って、ステップＳ２０−３での照度変化検出処理に含まれるステップＳ２１において、ランプ１３が始動したと判断されたときには、ランプ１３の始動が完了したことに基づいて、ランプ１４が点灯される。
【００６４】
また、ステップＳ２０−３での照度変化検出処理に含まれるステップＳ２２において、照度監視時間を経過したと判断された場合にも、ランプ１４が点灯される。即ち、ランプ１３が始動したと判断されなかったとき、かつ、ランプ１３の点灯開始が指示されてから所定時間が経過したときに、ランプ１４が点灯される。
【００６５】
次いで、制御部４３は、照度検出部５１を用いて図３に示す照度変化検出処理を実行する（ステップＳ２０−４）。このステップＳ２０−４での照度変化検出処理に含まれるステップＳ２１において、放電ランプの点灯に伴って検出される照度変化に基づいて、ランプ１４が点灯を開始して始動したか否かが判断される。
【００６６】
ステップＳ２０−４の照度変化検出処理が終了すると、制御部４３は、不点灯検出部４２ａにより放電ランプの不点灯を検出したか否かを判断する（ステップＳ５）。即ち、ステップＳ１，Ｓ２，Ｓ３，Ｓ４において点灯指示信号に基づいて放電ランプを点灯するランプ電源部４２が有する不点灯検出部４２ａにより、そのランプ電源部４２に接続された放電ランプが不点灯であることを検出したか否かが判断される。
【００６７】
放電ランプの不点灯を検出したとステップＳ５において判断された場合には、制御部４３は、不点灯である１つの放電ランプ（即ち、ランプ１１〜１４のいずれかの放電ランプ）に接続されたランプ電源部４２へ点灯指示信号を出力することにより、放電ランプの点灯開始を指示する（ステップＳ６）。
【００６８】
ステップＳ６に次いで、制御部４３は、照度検出部５１を用いて図３に示す照度変化検出処理を実行する（ステップＳ２０−６）。このステップＳ２０−６での照度変化検出処理に含まれるステップＳ２１において、放電ランプの点灯に伴って検出される照度変化に基づいて、ステップＳ６において点灯開始を指示した放電ランプが点灯を開始して始動したか否かが判断される。
【００６９】
以上のようにして、放電ランプの不点灯を検出したとステップＳ５において判断された場合には、ステップＳ１，Ｓ２，Ｓ３，Ｓ４での点灯指示に基づいて点灯することができなかった放電ランプの点灯が再度試みられる。
【００７０】
一方、放電ランプの不点灯を検出したとステップＳ５において判断されなかった場合（即ち、各放電ランプの点灯を検出したと判断された場合）には、ランプ１１〜１４の全ての放電ランプを始動させる際のランプ点灯制御装置２の一連の動作が終了する。
【００７１】
図５は、図４に示すランプ点灯制御装置２の動作における、制御部４３による点灯指示信号の出力のタイミングと、ランプ１１〜１４に流れる電流の変化のタイミングと、照度変化を検出するタイミングとを示したタイミングチャートである。なお、図５に示すタイミングチャートは、ステップＳ１〜Ｓ４においてランプ１１〜１４が正常に始動したときを示している。
【００７２】
図５において、時刻ｔ１は、上記ステップＳ１において制御部４３がランプ１１に接続されたランプ電源部４２へ点灯指示信号を出力したタイミングを示している。時刻ｔ２は、上記ステップＳ２において制御部４３がランプ１２に接続されたランプ電源部４２へ点灯指示信号を出力したタイミングを示している。時刻ｔ３は、上記ステップＳ３において制御部４３がランプ１３に接続されたランプ電源部４２へ点灯指示信号を出力したタイミングを示している。時刻ｔ４は、上記ステップＳ４において制御部４３がランプ１４に接続されたランプ電源部４２へ点灯指示信号を出力したタイミングを示している。
【００７３】
時刻ｔ１においてランプ１１が点灯を開始すると、ランプ１１の電極間に絶縁破壊が生じることによって、時刻ｔ１’までの時間は、ランプ１１に流れる電流Ｉａとして比較的大きな電流がランプ１１に流れる。時刻ｔ１’からは、ランプ１１に供給される電力が抑制されて、ランプ１１には定常電流が流れる。
【００７４】
時刻ｔ２においてランプ１２が点灯を開始すると、ランプ１２の電極間に絶縁破壊が生じることによって、時刻ｔ２’までの時間は、ランプ１２に流れる電流Ｉｂとして比較的大きな電流がランプ１２に流れる。時刻ｔ２’からは、ランプ１２に供給される電力が抑制されて、ランプ１２には定常電流が流れる。ここで、ランプ１１の点灯に伴う一定以上の照度変化の検出は、時刻ｔ１’以後に検出されるため、時刻ｔ２は時刻ｔ１’以後となる。
【００７５】
時刻ｔ３においてランプ１３が点灯を開始すると、ランプ１３の電極間に絶縁破壊が生じることによって、時刻ｔ３’までの時間は、ランプ１３に流れる電流Ｉｃとして比較的大きな電流がランプ１３に流れる。時刻ｔ３’からは、ランプ１３に供給される電力が抑制されて、ランプ１３には定常電流が流れる。ここで、ランプ１２の点灯に伴う一定以上の照度変化の検出は、時刻ｔ２’以後に検出されるため、時刻ｔ３は時刻ｔ２’以後となる。
【００７６】
時刻ｔ４においてランプ１４が点灯を開始すると、ランプ１４の電極間に絶縁破壊が生じることによって、時刻ｔ４’までの時間は、ランプ１４に流れる電流Ｉｄとして比較的大きな電流がランプ１４に流れる。時刻ｔ４’からは、ランプ１４に供給される電力が抑制されて、ランプ１４には定常電流が流れる。ここで、ランプ１３の点灯に伴う一定以上の照度変化の検出は、時刻ｔ３’以後に検出されるため、時刻ｔ４は時刻ｔ３’以後となる。
【００７７】
以上のように、制御部４３が所定の放電ランプに点灯開始を指示するタイミングは、その他の放電ランプに流れている電流が大きくても定常電流であるタイミングである。図５においては、ランプ１１〜１４に流れる電流の総和である電流Ｉは、時刻ｔ４から時刻ｔ４’までの時間で最も大きな電流Ｉｍａｘとなる。この時刻ｔ４から時刻ｔ４’までの時間は、ランプ１１〜１３に定常電流が流れている状態であるため、図５に示す電流Ｉｍａｘは、図６に示すＩｍａｘに比べて小さくなる。
【００７８】
なお、上記照度監視時間がランプ１１〜１４のイグニッション期間以上であれば、ランプ１１〜１４の点灯開始時において必要とされる電力を確実に低減することができるが、点灯不可能な放電ランプがある場合に点灯可能なその他の放電ランプを早く点灯させるために、照度監視時間は短い方がよい。但し、照度監視時間がランプ１１〜１４のイグニッション期間よりも短ければ、ランプ１１〜１４のイグニッション期間が同一時間帯に重なるため、照度監視時間はイグニッション期間であることが好ましい。
【００７９】
本実施形態によれば、以下の効果を得ることができる。
（１）ランプ点灯制御装置２は、複数のランプ１１〜１４のうち所定の放電ランプ（例えば、ランプ１１）が点灯を開始して始動したか否かを判断するランプ始動判断部として制御部４３及び照度検出部５１を備えている。そして、制御部４３及び照度検出部５１によって所定の放電ランプであるランプ１１が始動したと判断されたときに、制御部４３は、複数のランプ１１〜１４のうち他の放電ランプであるランプ１２の点灯開始を指示する。さらに、制御部４３及び照度検出部５１によって所定の放電ランプであるランプ１２が始動したと判断されたときに、制御部４３は、他の放電ランプであるランプ１３の点灯開始を指示する。さらに、制御部４３及び照度検出部５１によって所定の放電ランプであるランプ１３が始動したと判断されたときに、制御部４３は、他の放電ランプであるランプ１４の点灯開始を指示する。このように、制御部４３及び照度検出部５１によって所定の放電ランプが点灯を開始して始動したと判断されたときに、他の放電ランプの点灯開始が指示される。即ち、単に時間に基づいてランプ１１〜１４が順次点灯されるのではなく、ランプ１１〜１３の始動が完了したことに基づいてランプ１４が点灯される。よって、所定の放電ランプの点灯開始が指示されてから短時間後に他の放電ランプの点灯開始が指示される構成に比べて、同一時間帯に複数のランプ１１〜１４に大きな電流が流れることを抑制することができ、ランプ１１〜１４の点灯開始時において必要とされる電力を確実に低減することができる。その結果、電源部４１の電源容量を抑制することができる。また、ランプ１１の始動が完了したことに基づいてランプ１２が点灯され、ランプ１２の始動が完了したことに基づいてランプ１３が点灯され、ランプ１３の始動が完了したことに基づいてランプ１４が点灯される。このため、所定の放電ランプの点灯開始が指示されてから長時間後に他の放電ランプの点灯開始が指示される構成に比べて、複数のランプ１１〜１４を同時に点灯させるまでの時間の短縮化を図ることができる。
【００８０】
（２）ランプ点灯制御装置２は、照度を検出する照度検出部５１を備え、照度検出部５１がランプ始動判断部を構成し、照度検出部５１により検出された照度に基づいてランプ１１〜１４が始動したか否かが判断される。このため、温度検出部（不図示）により検出されたランプ１１〜１４の温度に基づいて各ランプ１１〜１４が始動したか否かが判断される場合に比べて、各ランプ１１〜１４が始動したか否かが直ちに判断される。
【００８１】
（３）ランプ点灯制御装置２は、複数のランプ１１〜１４が発した光を合成する光合成部２１を備え、照度検出部５１は、光合成部２１により合成された光の照度を検出する。即ち、光合成部２１により合成された光の照度が検出されて、この照度に基づいてランプ１１〜１４が始動したか否かが判断される。従って、ランプ１１〜１４が始動したか否かの判断基準となる照度が、光合成部２１により合成された光の照度であるため、各ランプ１１〜１４に対応して照度検出部５１を設ける必要性が低くなる。
【００８２】
（４）制御部４３及び照度検出部５１によってランプ１１が始動したと判断されなかったとき、かつ、ランプ１１の点灯開始が指示されてから所定時間が経過したときに、制御部４３は、ランプ１２の点灯開始を指示する。また、制御部４３及び照度検出部５１によってランプ１２が始動したと判断されなかったとき、かつ、ランプ１２の点灯開始が指示されてから所定時間が経過したときに、制御部４３は、ランプ１３の点灯開始を指示する。さらに、制御部４３及び照度検出部５１によってランプ１３が始動したと判断されなかったとき、かつ、ランプ１３の点灯開始が指示されてから所定時間が経過したときに、制御部４３は、ランプ１４の点灯開始を指示する。このため、所定の放電ランプが点灯不可能であっても、他の放電ランプを始動させることができる。
【００８３】
（５）投写型映像表示装置であるプロジェクタ１は、上記構成を有するランプ点灯制御装置２を備えている。従って、本実施形態のプロジェクタ１によれば、上記（１）〜（４）に記載の効果を得ることができる。
【００８４】
なお、本発明は、上記実施形態に限定されるものではなく、本発明の趣旨に基づいて種々の設計変更をすることが可能であり、それらを本発明の範囲から除外するものではない。例えば、上記実施形態を以下のように変更してもよく、以下の変更を組み合わせて実施してもよい。
【００８５】
・光合成部２１から出射された光の照度を検出する照度検出部５１に代えて、各ランプ１１〜１４毎に複数の照度検出部が設けて、ランプ１１〜１４の各々が発する光の照度を、別個の照度検出部により検出してもよい。
【００８６】
・ステップＳ５における放電ランプの不点灯を検出したか否かの判断が、不点灯検出部４２ａを用いずに、照度検出部５１を用いて行ってもよい。即ち、ステップＳ２０−１，Ｓ２０−２，Ｓ２０−３，Ｓ２０−４での照度変化検出処理において、放電ランプの点灯に伴う照度変化が検出されたと判断されずに、照度変化検出処理を開始してからの時間が、照度監視時間を経過したと判断されたことに基づいて、放電ランプの不点灯を検出したと制御部４３が判断してもよい。このように照度検出部５１を用いて放電ランプの不点灯を検出したか否かが判断される場合には、ランプ電源部４２に含まれる不点灯検出部４２ａを用いずに放電ランプが点灯したか否かを判断することができるため、イグニッション期間中であっても、放電ランプの不点灯が検出されたか否かが判断できる。
【００８７】
・照度以外に基づいて放電ランプの始動が完了したか否かが判断されてもよい。即ち、例えば、温度センサにより構成される温度検出部（不図示）を備え、検出された温度の変化に基づいて、放電ランプの始動が完了したか否かが判断されてもよい。また、放電ランプの点灯に伴って発生する電磁波を検出する電磁波検出部（不図示）を備え、検出された電磁波に基づいて、放電ランプの始動が完了したか否かが判断されてもよい。
【００８８】
・２つまたは３つの放電ランプを備える装置や、５つ以上の放電ランプを備える装置についても本発明を適用することができる。即ち、ランプ点灯制御装置２が備える放電ランプは４つに限られない。
【符号の説明】
【００８９】
１…プロジェクタ（投写型映像表示装置）、２…ランプ点灯制御装置、１１，１２，１３，１４…ランプ、２１…光合成部、２２…映像生成部、２３…投射レンズ、３１…映像信号入力部、３２…映像信号処理部、４１…電源部、４２…ランプ電源部、４２ａ…不点灯検出部、４３…制御部、４４…記憶部、４５…計時部、５１…照度検出部。
【図１】
2011237535.tif 000003
【図２】
2011237535.tif 000004
【図３】
2011237535.tif 000005
【図４】
2011237535.tif 000006
【図５】
2011237535.tif 000007
【図６】
2011237535.tif 000008